(57)【要約】【課題】既設屋根の補修時に併せて換気口を形成するのに工数が少なくてよく、かつ構造が簡単であり換気性能の高い既設屋根の補修方法および換気装置を提供する。【解決手段】既設の屋根を改修すると共に、新たな換気装置を設置する補修方法であって、既設の屋根の棟部に、換気用の開口３２を形成する開口形成工程と、既設の屋根材の上にカバールーフ１０を重ねて取付けるルーフ取付け工程と、カバールーフ１０の棟部に波板を複数段重ねて多孔構造に構成した通気部２０を備えた換気装置を設置する設備工程とからなる。カバールーフ１０の棟に形成された開口部５の側方に配置された通気部２０と、通気部２０の外端から更に外側に配置された邪魔板３０とからなり、通気部２０は、波板を複数段重ねて多孔構造に構成したものである。短時間かつ安価に既設屋根を補修し、かつ新たな換気装置を取付けることができる。【選択図】図１
2017210759.tif 000002
【特許請求の範囲】
【請求項１】
既設の屋根を改修すると共に、新たな換気装置を設置する補修方法であって、
既設の屋根の棟部に、換気用の開口を形成する開口形成工程と、
既設の屋根材の上にカバールーフを重ねて取付けるルーフ取付け工程と、
前記カバールーフの棟部に波板を複数段重ねて多孔構造に構成した通気部を備えた換気装置を設置する設備工程とからなる
ことを特徴とする既設屋根の補修方法。
【請求項２】
カバールーフに形成される換気装置であって、
カバールーフの棟に形成された開口部の側方に配置された通気部と、該通気部の外端から更に外側に配置された邪魔板とからなり、
前記通気部は、波板を複数段重ねて多孔構造に構成したものである
ことを特徴とする換気装置。
【請求項３】
前記通気部と前記邪魔板との間は、控え棒で連結され、上方に向けて空気が抜ける開口部が設けられている
ことを特徴とする請求項２記載の換気装置。
【発明の詳細な説明】
【技術分野】
【０００１】
本発明は、既設屋根の補修方法および換気装置に関する。さらに詳しくは、工場や倉庫などの既設屋根の補修方法と、補修した屋根に設置する換気装置に関する。
【背景技術】
【０００２】
近年、工場等では、屋根が老朽化しているものも多く、簡易な工法で補修することができ、しかも同時に換気性能を向上させることができれば有益である。とくに、造船所等の溶接作業の多い建屋では内部に熱気がこもりやすいので換気が重要である。
【０００３】
既設屋根の補修に関する従来技術としては特許文献１がある。この特許文献１の内容は、棟部には、中央の開口部と、その開口部の左右両側に配置された通気閉塞部材とから構成したものである。
【０００４】
上記通気閉塞部材には、ハニカム構造が例示されている（段落００１６）。しかるに、このハニカム構造が具体的にどのような構造物であるかの説明は全くない。また、それ以外の構造も開示していない。
【先行技術文献】
【特許文献】
【０００５】
【特許文献１】特開２０１３−６０７８９号公報
【発明の概要】
【発明が解決しようとする課題】
【０００６】
本発明は上記事情に鑑み、既設屋根の補修時に併せて換気口を形成するのに工数が少なくてよく、かつ構造が簡単であり換気性能の高い既設屋根の補修方法および換気装置を提供することを目的とする。
【課題を解決するための手段】
【０００７】
第１発明の既設屋根の補修方法は、既設の屋根を改修すると共に、新たな換気装置を設置する補修方法であって、既設の屋根の棟部に、換気用の開口を形成する開口形成工程と、既設の屋根材の上にカバールーフを重ねて取付けるルーフ取付け工程と、前記カバールーフの棟部に波板を複数段重ねて多孔構造に構成した通気部を備えた換気装置を設置する設備工程とからなることを特徴とする。
第２発明の換気装置は、カバールーフに形成される換気装置であって、カバールーフの棟に形成された開口部の側方に配置された通気部と、該通気部の外端から更に外側に配置された邪魔板とからなり、前記通気部は、波板を複数段重ねて多孔構造に構成したものであることを特徴とする。
第３発明の換気装置は、第２発明において、前記通気部と前記邪魔板との間は、控え棒で連結され、上方に向けて空気が抜ける開口部が設けられていることを特徴とする。
【発明の効果】
【０００８】
第１発明によれば、開口形成工程とルーフ取付け工程と設置工程のわずか３工程しか必要としないので、短時間かつ安価に既設屋根を補修し、かつ新たな換気装置を取付けることができる。
第２発明によれば、建屋内の溶接作業等で生じた高温空気は棟の開口部に集まり、上昇気流の勢いによって通気部に入っていき、通気部を横向きに通って開口に至ると、そこから上昇して換気される。
第３発明によれば、気象条件が悪く横向きの強い風雨が吹いても、邪魔板が通気部への進入を防ぐので、通気部の換気作用が阻害されることはない。
【図面の簡単な説明】
【０００９】
【図１】本発明の一実施形態に係る換気装置の正面図である。
【図２】図１のII−II線矢視で示す換気装置の端面図である。
【図３】本発明に係る既設屋根の補修方法の説明図である。
【図４】既設屋根の一例の説明図である。
【発明を実施するための形態】
【００１０】
つぎに、本発明の実施形態を図面に基づき説明する。
まず、本発明によって補修される既設屋根を図４に基づき説明する。
図４において、Ｆは工場等の建屋を示し、屋根は切妻形で、波形スレートＳで葺かれている。棟には左右両側の波形スレート１、１の突合せ部を覆うように、への字形の棟スレート２が載せられている。
上記した波形スレート１、１は建屋の天井で建屋長手方向に延びるコ形鋼３にボルト４で止められている。棟スレート２もコ形鋼３にボルト４等で止められている。
【００１１】
本発明の補修方法は、上記の既設屋根Ｒに適用するものであるが、既存の波形スレート１、１は取り除かず、そのまま用いて、その上面に新しいカバールーフ１０を葺いて新設屋根とすることに特徴がある。
【００１２】
まず、図１および図２に基づき換気装置Ａを説明する。
換気装置Ａは、後述するカバールーフ１０上に取付けられる装置であり、通気部２０と邪魔板３０とを含んで構成されている。通気部２０と邪魔板３０は、それぞれ棟の左右に配置して一対となるように構成される。
【００１３】
通気部２０は、凸部と凹部が交互に連続する折板製の波形ルーフ２１、２２、２３を重ねたものである。波形ルーフ２１、２２、２３の凸部同士を向き合わせることにより、凸部同士の間および凹部同士の間に空間を形成した構造である。凸部同士を向き合わせた部分はボルト４を通してコ形鋼３に固定される。凸部同士の間および凹部同士の間の空間はハニカム形の多孔構造となるので、これで空気を通す通気部２０を構成している。
【００１４】
通気部２０を構成する最上段の波形ルーフ２３の上面には、さらに平板のルーフ２４を載せるが、載せないものも本発明に含まれる。
【００１５】
図１に示す通気部２０の長さは、任意であるが、棟の開口部５に比べて短すぎない方が雨の進入を防ぎやすくなる。また、長すぎると通気抵抗が増えて換気効率が劣ることになるので、通気抵抗が大きくならない長さにすればよい。
【００１６】
通気部２０の外端から更に外側となる位置には邪魔板３０が立設される。この邪魔板３０は平板で構成されるもので、ほぼ鉛直に立ち上った板である。邪魔板３０の下端はカバールーフ１０にビス等で固定され、上端は控え棒３１で通気部２０の上端部に連結される。邪魔板３０と通気部２０の外端との間は上空に向けて開口した開口３２が形成されている。
【００１７】
邪魔板３０は強い風雨が横向きに吹いたとき、通気部２０に雨水が進入するのを防止する。また、開口３２は建屋内の空気が通気部２０を通った後、上空へ抜ける通路となる。
【００１８】
上記換気装置Ａは、図示のごとく左右一対の構成とするのが基本であるが、片流れ屋根に設置する場合のように、いずれか一方で構成してもよく、そのような構成も本発明に含まれる。
【００１９】
図３に基づき、本発明の補修方法を説明する。
（開口形成工程）
図３に示すように、スレート１、１とコ形鋼３はそのまま用いられる。ただし、棟の中心直下のスレート１、１はその端部１ａ、１ａを切り取り、換気用の空間５があくようにする。
【００２０】
（ルーフ取付け工程）
スレート１、１の上面にカバールーフ１０を重ねて取付ける。カバールーフ１０は折板製で凸部と凹部が交互に連続した波形のものである。この波の大きさと間隔は既存のスレート１に合わせたものが用いられる。カバールーフ１０の固定は既設のコ形鋼３にボルト４で固定する等任意の方法を用いればよい。
【００２１】
（設置工程）
カバールーフ１０の棟部に上記した換気装置Ａを設置する。この装置は、カバールーフ１０の設置後、現場作業で取付けてもよく、予め工場でカバールーフ１０と共に作製しておいたものを設置してもよい。
【００２２】
設置工程を終えると、図１に示すように新しいカバールーフ１０の上面に新しい換気装置Ａが付いた屋根が出来上る。
このように、上記補修方法は、開口形成工程とルーフ取付け工程と設置工程のわずか３工程しか必要としないので、少ない工数で、かつ安価に既設屋根を補修し、かつ新たな換気装置Ａを取付けることができる。
【００２３】
再び図１に帰り、本実施形態における換気装置Ａの換気作用を説明する。
建屋内の溶接作業等で生じた高温空気は点線矢印で示すように、棟の開口部５に集まり、上昇気流の勢いによって通気部２０に入っていく。そして左右２カ所の通気部２０を横向きに通って開口３２に至ると、そこから上昇して換気される。
気象条件が悪く横向きの強い風雨が吹いても、邪魔板３０が通気部２０への進入を防ぐので、通気部２０の換気作用が阻害されることはない。
【符号の説明】
【００２４】
１  スレート
５  開口部
１０  カバールーフ
２０  通気部
２１、２２、２３  波形ルーフ
３０  邪魔板
３１  控え棒
３２  開口
【図１】
2017210759.tif 000003
【図２】
2017210759.tif 000004
【図３】
2017210759.tif 000005
【図４】
2017210759.tif 000006
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
既設の屋根を改修すると共に、新たな換気装置を設置する補修方法であって、
既設の屋根の棟部に、換気用の開口を形成する開口形成工程と、
既設の屋根材の上にカバールーフを重ねて取付けるルーフ取付け工程と、
前記カバールーフの棟部に換気装置を設置する設備工程とからなり、
前記換気装置は、
前記カバールーフの棟に形成された開口部の側方に配置された通気部と、該通気部の外端から更に外側に配置された邪魔板とからなり、
前記通気部は、波板を複数段重ねて多孔構造に構成したものであり、
前記通気部と前記邪魔板との間は、控え棒で連結され、上方に向けて空気が抜ける開口部が設けられており、
前記邪魔板の下端は前記カバールーフにビス等で固定され、上端は控え棒で前記通気部の上端部に連結される
ことを特徴とする既設屋根の補修方法。
【手続補正２】
【補正対象書類名】明細書
【補正対象項目名】０００７
【補正方法】変更
【補正の内容】
【０００７】
第１発明の既設屋根の補修方法は、既設の屋根を改修すると共に、新たな換気装置を設置する補修方法であって、
既設の屋根の棟部に、換気用の開口を形成する開口形成工程と、既設の屋根材の上にカバールーフを重ねて取付けるルーフ取付け工程と、前記カバールーフの棟部に換気装置を設置する設備工程とからなり、前記換気装置は、前記カバールーフの棟に形成された開口部の側方に配置された通気部と、該通気部の外端から更に外側に配置された邪魔板とからなり、前記通気部は、波板を複数段重ねて多孔構造に構成したものであり、前記通気部と前記邪魔板との間は、控え棒で連結され、上方に向けて空気が抜ける開口部が設けられており、前記邪魔板の下端は前記カバールーフにビス等で固定され、上端は控え棒で前記通気部の上端部に連結されることを特徴とする。
【手続補正３】
【補正対象書類名】明細書
【補正対象項目名】０００８
【補正方法】変更
【補正の内容】
【０００８】
第１発明によれば、つぎの効果を奏する。
ａ）開口形成工程とルーフ取付け工程と設置工程のわずか３工程しか必要としないので、短時間かつ安価に既設屋根を補修し、かつ新たな換気装置を取付けることができる。
ｂ）建屋内の溶接作業等で生じた高温空気は棟の開口部に集まり、上昇気流の勢いによって通気部に入っていき、通気部を横向きに通って開口に至ると、そこから上昇して換気される。
ｃ）気象条件が悪く横向きの強い風雨が吹いても、邪魔板が風雨の通気部への侵入を防ぐので、通気部の換気作用が阻害されることはない。